Podtech/llm-jp-corpus-v4-ja_patent huggingface dataset:
【手続補正書】
【提出日】令和3年6月4日(2021.6.4)
【手続補正１】
【補正対象書類名】特許請求の範囲
【補正対象項目名】全文
【補正方法】変更
【補正の内容】
【特許請求の範囲】
【請求項１】
手前側に遊技球が流下する遊技領域が構築されるとともに、厚み方向に貫く開口が形成された遊技板と、
前記遊技板における前記開口に臨む開口端面に沿って配策されることで、少なくとも一部が当該開口端面に沿う形状となって固定された電気配線と、
を備えることを特徴とする遊技機。
【手続補正書】
【提出日】令和3年6月4日(2021.6.4)
【手続補正１】
【補正対象書類名】特許請求の範囲
【補正対象項目名】全文
【補正方法】変更
【補正の内容】
【特許請求の範囲】
【請求項１】
遊技球が進入可能な領域であって、複数の出口が形成された特定領域と、
前記複数の出口のそれぞれから延びる通路であって、各出口を通過した遊技球を誘導する複数の誘導路と、
を備え、
前記複数の誘導路は、いずれかの誘導路から別の誘導路に遊技球が移動できないように互いに区画されたものであり、
前記複数の誘導路のそれぞれを通過した遊技球が合流する合流空間が設けられていることを特徴とする遊技機。
【請求項２】
遊技球が進入することを条件として遊技者に対し特典が付与される特典領域を備え、
前記特典領域の入口は、前記合流空間に面していることを特徴とする請求項１に記載の遊技機。
【請求項３】
前記複数の誘導路のうちの少なくともいずれかは、二以上の遊技球が幅方向に並ぶことが可能な幅広部を有することを特徴とする請求項１または請求項２に記載の遊技機。
【請求項４】
前記幅広部は、前記合流空間に繋がっていることを特徴とする請求項３に記載の遊技機。
【手続補正書】
【提出日】令和3年7月22日(2021.7.22)
【手続補正１】
【補正対象書類名】特許請求の範囲
【補正対象項目名】全文
【補正方法】変更
【補正の内容】
【特許請求の範囲】
【請求項１】
予め定められた演出量設定範囲の中に、下限値から上限値までの複数の設定演出量が設けられていて、
遊技者の操作に基づいて前記演出量設定範囲の中から設定演出量を決定可能な演出制御手段と、を備える遊技機において、
操作により前記演出量設定範囲の中から、前記上限値と同じである第１上限設定演出量、又は前記第１上限設定演出量よりも小さい第２上限設定演出量、或いは前記第２上限設定演出量よりも小さい第３上限設定演出量を決定可能な操作手段を備え、
前記演出制御手段は、
前記第１上限設定演出量が決定された場合に、遊技者の操作に基づいて前記下限値から前記上限値まで設定演出量を決定可能にして、
前記第２上限設定演出量が決定された場合に、遊技者の操作に基づいて前記下限値から当該第２上限設定演出量までに限り設定演出量を決定可能にして、
前記第３上限設定演出量が決定された場合に、遊技者の操作に基づいて前記下限値から当該第３上限設定演出量までに限り設定演出量を決定可能にすることを特徴とする遊技機。
【手続補正２】
【補正対象書類名】明細書
【補正対象項目名】０００６
【補正方法】変更
【補正の内容】
【０００６】
本発明の遊技機は、
予め定められた演出量設定範囲の中に、下限値から上限値までの複数の設定演出量が設けられていて、
遊技者の操作に基づいて前記演出量設定範囲の中から設定演出量を決定可能な演出制御手段と、を備える遊技機において、
操作により前記演出量設定範囲の中から、前記上限値と同じである第１上限設定演出量、又は前記第１上限設定演出量よりも小さい第２上限設定演出量、或いは前記第２上限設定演出量よりも小さい第３上限設定演出量を決定可能な操作手段を備え、
前記演出制御手段は、
前記第１上限設定演出量が決定された場合に、遊技者の操作に基づいて前記下限値から前記上限値まで設定演出量を決定可能にして、
前記第２上限設定演出量が決定された場合に、遊技者の操作に基づいて前記下限値から当該第２上限設定演出量までに限り設定演出量を決定可能にして、
前記第３上限設定演出量が決定された場合に、遊技者の操作に基づいて前記下限値から当該第３上限設定演出量までに限り設定演出量を決定可能にすることを特徴とする遊技機である。
【手続補正書】
【提出日】令和3年7月22日(2021.7.22)
【手続補正１】
【補正対象書類名】特許請求の範囲
【補正対象項目名】全文
【補正方法】変更
【補正の内容】
【特許請求の範囲】
【請求項１】
予め定められた演出量設定範囲の中に、下限値から上限値までの複数の設定演出量が設けられていて、
遊技者の操作に基づいて前記演出量設定範囲の中から設定演出量を決定可能な演出制御手段と、を備える遊技機において、
操作により前記演出量設定範囲の中から上限設定演出量を決定可能な操作手段を備え、
前記演出制御手段は、
前記上限値よりも小さい上限設定演出量が決定された場合に、遊技者の操作に基づいて前記下限値から当該上限設定演出量までに限り設定演出量を決定可能にすることを特徴とする遊技機。
【請求項２】
請求項１に記載の遊技機において、
前記演出制御手段は、
前記上限値よりも小さい上限設定演出量が決定されている場合に、遊技者の操作に基づいて当該上限設定演出量を超える設定演出量が選択されると、設定演出量を増加できないことを示す設定演出量不可表示を実行することを特徴とする遊技機。
【手続補正２】
【補正対象書類名】明細書
【補正対象項目名】０００６
【補正方法】変更
【補正の内容】
【０００６】
本発明の遊技機は、
予め定められた演出量設定範囲の中に、下限値から上限値までの複数の設定演出量が設けられていて、
遊技者の操作に基づいて前記演出量設定範囲の中から設定演出量を決定可能な演出制御手段と、を備える遊技機において、
操作により前記演出量設定範囲の中から上限設定演出量を決定可能な操作手段を備え、
前記演出制御手段は、
前記上限値よりも小さい上限設定演出量が決定された場合に、遊技者の操作に基づいて前記下限値から当該上限設定演出量までに限り設定演出量を決定可能にすることを特徴とする遊技機である。
【手続補正書】
【提出日】令和3年6月4日(2021.6.4)
【手続補正１】
【補正対象書類名】特許請求の範囲
【補正対象項目名】全文
【補正方法】変更
【補正の内容】
【特許請求の範囲】
【請求項１】
特定領域に遊技球が進入することを契機として取得される当否判定情報に基づき当否判定を行う当否判定手段と、
前記当否判定手段による当否判定結果に応じた変動中演出を実行する演出実行手段と、
を備え、
遊技状態として、通常遊技状態および当該通常遊技状態よりも遊技者に有利な状態である特定遊技状態が設定されており、
前記特定遊技状態にて実行される先の変動中演出が終了することで前記通常遊技状態に移行し、当該通常遊技状態にて当該先の変動中演出の次の変動中演出である後の変動中演出が実行される場合において、
前記演出実行手段は、前記先の変動中演出にて遊技者側キャラクタが不利な状況となり、前記後の変動中演出にて当該遊技者側キャラクタの不利な状況が覆される制御が実行可能であることを特徴とする遊技機。
【手続補正書】
【提出日】令和3年6月1日(2021.6.1)
【手続補正１】
【補正対象書類名】特許請求の範囲
【補正対象項目名】全文
【補正方法】変更
【補正の内容】
【特許請求の範囲】
【請求項１】
遊技球が予め定められた領域に進入したことに起因して抽選を行い、前記抽選で当ると遊技者に有利な遊技を行う弾球遊技機であって、
前記抽選が行われた後、前記抽選の結果を報知するための抽選演出を行うと共に、前記抽選演出により前記抽選の結果が報知される前に、前記抽選の結果を示唆する第１演出及び第２演出を実行する演出手段と、
前記第１演出が開始されるまでの残り時間のカウントを報知する演出である第１タイマ予告を行う第１タイマ予告手段と、
前記第２演出が開始されるまでの残り時間のカウントを報知する演出である第２タイマ予告を行う第２タイマ予告手段と、を備え、
前記抽選の結果が当りであることの可能性の度合いを、信頼度とし、
前記第１演出の態様として、特別態様と通常態様との少なくとも２種類の態様が設けられており、前記特別態様の前記第１演出が行われた際の前記信頼度は、前記通常態様の前記第１演出が行われた際の前記信頼度よりも高く、
前記第２演出の開始タイミングは、前記第１演出の開始タイミングよりも後であり、
前記第２演出が行われた際の前記信頼度は、前記第１演出が行われた際の平均的な前記信頼度よりも高く、
前記第１タイマ予告により前記カウントがされた前記第１演出が前記特別態様である確率は、前記第１タイマ予告により前記カウントがなされなかった前記第１演出が前記特別態様である確率よりも高く、
前記第１タイマ予告により前記カウントがなされた前記特別態様の前記第１演出が行われた際の前記信頼度は、前記第１タイマ予告により前記カウントがなされなかった前記特別態様の前記第１演出が行われた際の前記信頼度よりも高く、
前記第１タイマ予告により前記カウントがなされた前記通常態様の前記第１演出が行われた際の前記信頼度は、前記第１タイマ予告により前記カウントがなされなかった前記通常態様の前記第１演出が行われた際の前記信頼度よりも高く、
前記演出手段は、前記抽選演出において、複数の変動エリアにて図柄の変動表示を行った後、それぞれの前記変動エリアにいずれかの前記図柄を停止表示させることで、前記抽選の結果を報知し、前記第１タイマ予告が行われた場合には、前記変動表示にてリーチとなるリーチ演出を実行すること、
を特徴とする弾球遊技機。
【手続補正２】
【補正対象書類名】明細書
【補正対象項目名】０００６
【補正方法】変更
【補正の内容】
【０００６】
上記課題に鑑みてなされた請求項１に係る発明は、遊技球が予め定められた領域に進入したことに起因して抽選を行い、前記抽選で当ると遊技者に有利な遊技を行う弾球遊技機に関する。該弾球遊技機は、抽選が行われた後、抽選の結果を報知するための抽選演出を行うと共に、抽選演出により抽選の結果が報知される前に、抽選の結果を示唆する第１演出及び第２演出を実行する演出手段と、第１演出が開始されるまでの残り時間のカウントを報知する演出である第１タイマ予告を行う第１タイマ予告手段と、第２演出が開始されるまでの残り時間のカウントを報知する演出である第２タイマ予告を行う第２タイマ予告手段と、を備える。ここで、抽選の結果が当りであることの可能性の度合いを、信頼度とする。また、第１演出の態様として、特別態様と通常態様との少なくとも２種類の態様が設けられており、特別態様の第１演出が行われた際の信頼度は、通常態様の第１演出が行われた際の信頼度よりも高いものとする。また、第２演出の開始タイミングは、第１演出の開始タイミングよりも後であり、第２演出が行われた際の信頼度は、第１演出が行われた際の平均的な信頼度よりも高いものとする。そして、第１タイマ予告によりカウントがされた第１演出が特別態様である確率は、第１タイマ予告によりカウントがなされなかった第１演出が特別態様である確率よりも高い。
また、第１タイマ予告によりカウントがなされた特別態様の第１演出が行われた際の信頼度は、第１タイマ予告によりカウントがなされなかった特別態様の第１演出が行われた際の信頼度よりも高くても良い。また、第１タイマ予告によりカウントがなされた通常態様の第１演出が行われた際の信頼度は、第１タイマ予告によりカウントがなされなかった通常態様の第１演出が行われた際の信頼度よりも高くても良い。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
また、第１タイマ予告が行われたことにより、特別態様及び通常態様の第１演出の信頼度が向上する。このため、例えば、第１タイマ予告によりカウントされる時間が短い場合や、第１タイマ予告によるカウントが抽選演出の序盤や中盤で終了すると推定される場合であっても、遊技者の落胆を抑制できる。したがって、タイマ予告による当りへの期待感を高めることができる。
【手続補正５】
【補正対象書類名】明細書
【補正対象項目名】００１０
【補正方法】変更
【補正の内容】
【００１０】
なお、演出手段は、抽選演出において、複数の変動エリアにて図柄の変動表示を行った後、それぞれの変動エリアにいずれかの図柄を停止表示させることで、抽選の結果を報知し、変動表示にてリーチとなるリーチ演出を実行すると共に、リーチ演出としてノーマルリーチ演出及び特別リーチ演出を実行しても良い。また、特別リーチ演出が行われた際の信頼度は、ノーマルリーチ演出が行われた際の信頼度よりも高くても良い。また、演出手段は、ノーマルリーチ演出の実行中、予め定められた発展タイミングが到来すると、該ノーマルリーチ演出に替えて特別リーチ演出を実行し手も良い。そして、第１演出は、発展タイミングの前に実行され、第２演出は、発展タイミングの後に実行されても良い。
【手続補正６】
【補正対象書類名】明細書
【補正対象項目名】００１２
【補正方法】変更
【補正の内容】
【００１２】
また、請求項１に記載されているように、演出手段は、抽選演出において、複数の変動エリアにて図柄の変動表示を行った後、それぞれの変動エリアにいずれかの図柄を停止表示させることで、抽選の結果を報知し、第１タイマ予告が行われた場合には、変動表示にてリーチとなるリーチ演出を実行しても良い。
上記構成によれば、第１タイマ予告が行われることによりリーチが発生する。このため、第１タイマ予告が行われた場合であっても、遊技者は当りへの期待を持つことができ、遊技者の落胆を抑制できる。したがって、タイマ予告による当りへの期待感を高めることができる。
【手続補正書】
【提出日】令和3年6月24日(2021.6.24)
【手続補正１】
【補正対象書類名】特許請求の範囲
【補正対象項目名】全文
【補正方法】変更
【補正の内容】
【特許請求の範囲】
【請求項１】
遊技者が操作可能な操作手段を含んで構成された演出手段と、
前記演出手段を用いた所定の演出を実行可能な演出実行手段と、を備える遊技機であって、
前記演出実行手段は、
前記操作手段への操作を促す操作演出と、
前記操作演出後に行われる事後演出と、を実行可能であり、
前記事後演出を、前記操作演出中に前記操作手段が実行されたことに応じて開始可能であり、
前記操作演出を所定の特定タイミング以前に終了して前記事後演出を開始する場合には、前記事後演出中に特定演出を実行することがあることを特徴とする遊技機。
【請求項２】
請求項１に記載の遊技機であって、
前記演出実行手段は、
前記操作演出を前記特定タイミングよりも後に終了して前記事後演出を開始する場合には、前記事後演出中に前記特定演出を実行しないことがあることを特徴とする遊技機。
【請求項３】
請求項１または請求項２に記載の遊技機であって、
前記演出実行手段は、
前記操作演出では、前記操作手段の操作が有効な有効期間を示すことが可能な操作有効演出を実行することがあり、
前記有効期間における前記操作手段の操作を契機として前記事後演出を実行するときには、前記操作手段の操作が、前記有効期間における早いタイミングで行われたときほど、前記事後演出の実行時間を長くすることを特徴とする遊技機。
【請求項４】
請求項３に記載の遊技機であって、
前記演出実行手段は、
前記操作演出では、前記操作有効演出が行われることを示唆する操作示唆演出を、前記操作有効演出の前に実行することがあり、
前記操作示唆演出として、第１の操作示唆演出と、前記第１の操作示唆演出よりも長い第２の操作示唆演出と、を実行可能であり、
前記第１の操作示唆演出を行った場合には、前記事後演出中に前記特定演出を実行することがあることを特徴とする遊技機。
【請求項５】
請求項４に記載の遊技機であって、
遊技者に有利な有利遊技状態に制御可能な遊技制御手段を備え、
前記第２の操作示唆演出を行ったときの方が、前記第１の操作示唆演出を行ったときよりも、前記有利遊技状態になりやすいことを特徴とする遊技機。
【請求項６】
請求項５に記載の遊技機であって、
前記演出手段は、所定の表示を行うことが可能な表示手段を有し、
前記演出実行手段は、
前記第１の操作示唆演出を行った後の前記操作有効演出では、前記表示手段に、前記操作手段の操作が有効であることを示す操作有効表示として第１態様のものを表示し、
前記第２の操作示唆演出を行った後の前記操作有効演出では、前記表示手段に、前記操作有効表示として前記第１態様のものとは異なる第２態様のものを表示し、
前記第２の操作示唆演出では、前記表示手段に、前記第１態様の前記操作有効表示を示唆する第１態様示唆表示を表示した後、前記第２態様の前記操作有効表示を示唆する第２態様示唆表示を表示することを特徴とする遊技機。
【請求項７】
請求項３から請求項６までのいずれかに記載の遊技機であって、
前記演出実行手段は、
前記操作有効演出を、前記特定タイミングよりも前に開始したときには、前記特定タイミングを過ぎても継続することがあることを特徴とする遊技機。
【請求項８】
請求項１から請求項７までのいずれかに記載の遊技機であって、
前記演出手段は、音を出力可能な音出力手段を有し、
前記特定演出は、前記音出力手段から出力される音による演出を含む演出であることを特徴とする遊技機。
【手続補正２】
【補正対象書類名】明細書
【補正対象項目名】０００６
【補正方法】変更
【補正の内容】
【０００６】
本発明の遊技機は、
遊技者が操作可能な操作手段を含んで構成された演出手段と、
前記演出手段を用いた所定の演出を実行可能な演出実行手段と、を備える遊技機であって、
前記演出実行手段は、
前記操作手段への操作を促す操作演出と、
前記操作演出後に行われる事後演出と、を実行可能であり、
前記事後演出を、前記操作演出中に前記操作手段が実行されたことに応じて開始可能であり、
前記操作演出を所定の特定タイミング以前に終了して前記事後演出を開始する場合には、前記事後演出中に特定演出を実行することがあることを特徴とする遊技機。
【手続補正書】
【提出日】令和3年6月9日(2021.6.9)
【手続補正１】
【補正対象書類名】特許請求の範囲
【補正対象項目名】全文
【補正方法】変更
【補正の内容】
【特許請求の範囲】
【請求項１】
所定の遊技を実行することが可能な遊技実行手段と、所定の演出を実行することが可能な演出実行手段と、を備えた遊技機であって、
前記遊技実行手段は、前記所定の遊技として、遊技盤に形成された遊技領域を流下する遊技球が入賞可能な始動入賞領域への入賞によって、遊技者が賞球を獲得することが可能な特別遊技を実行するか否かの判定を行うことが可能であり、
前記演出実行手段は、前記特別遊技において遊技者が獲得した遊技球の個数、および当該特別遊技が行われた後に前記遊技領域の外部へ排出された遊技球の個数に基づいて、前記所定の遊技に関する情報を示唆する示唆演出を実行可能であることを特徴とする遊技機。
【手続補正２】
【補正対象書類名】明細書
【補正対象項目名】０００６
【補正方法】変更
【補正の内容】
【０００６】
本発明に係る遊技機は、
所定の遊技を実行することが可能な遊技実行手段と、所定の演出を実行することが可能な演出実行手段と、を備えた遊技機であって、
前記遊技実行手段は、前記所定の遊技として、遊技盤に形成された遊技領域を流下する遊技球が入賞可能な始動入賞領域への入賞によって、遊技者が賞球を獲得することが可能な特別遊技を実行するか否かの判定を行うことが可能であり、
前記演出実行手段は、前記特別遊技において遊技者が獲得した遊技球の個数、および当該特別遊技が行われた後に前記遊技領域の外部へ排出された遊技球の個数に基づいて、前記所定の遊技に関する情報を示唆する示唆演出を実行可能であることを特徴とする。
【手続補正書】
【提出日】令和3年5月31日(2021.5.31)
【手続補正１】
【補正対象書類名】特許請求の範囲
【補正対象項目名】全文
【補正方法】変更
【補正の内容】
【特許請求の範囲】
【請求項１】
当否判定で当選すると特別遊技を行う弾球遊技機であって、
始動口への入球に起因して数値データを抽出し、抽出した前記数値データを保留記憶として記憶する保留記憶手段と、
前記保留記憶に係る前記数値データに基づき前記当否判定を行う当否判定手段と、
前記保留記憶に基づく前記当否判定が行われる前に、該保留記憶に係る前記数値データを確認する確認手段と、
複数の種類の対応図柄のうちのいずれかを、前記保留記憶に対応して表示することで、該保留記憶に係る前記数値データに基づく前記当否判定について、表示した前記対応図柄の種類に基づく信頼度を示す手段であって、前記信頼度とは、前記当否判定で当選する可能性の度合いである表示手段と、
前記確認手段による前記保留記憶に係る前記数値データの確認結果、又は、前記保留記憶に基づく前記当否判定の結果に基づき、表示中の前記対応図柄に替えて他の種類の前記対応図柄を表示する変化演出を行うと共に、前記変化演出が行われることを示唆する前兆演出を行う演出手段と、を備え、
前記演出手段は、前記前兆演出として、前記変化演出が行われる通常前兆演出と、前記変化演出が行われない擬似前兆演出とを行い、
前記演出手段は、一定以下の信頼度の前記対応図柄に対応して２回以上の回数であるＸ回の前記擬似前兆演出を行うことで、該対応図柄に対応してＸ−１回の前記擬似前兆演出を行ったときよりも、該対応図柄に対応する前記保留記憶に基づく前記当否判定について、より高い前記信頼度を示すこと、
を特徴とする弾球遊技機。
【手続補正２】
【補正対象書類名】明細書
【補正対象項目名】０００６
【補正方法】変更
【補正の内容】
【０００６】
上記課題に鑑みてなされた請求項１に係る発明は、当否判定で当選すると特別遊技を行う弾球遊技機に関する。該弾球遊技機は、始動口への入球に起因して数値データを抽出し、抽出した数値データを保留記憶として記憶する保留記憶手段と、保留記憶に係る数値データに基づき当否判定を行う当否判定手段と、保留記憶に基づく当否判定が行われる前に、該保留記憶に係る数値データを確認する確認手段と、複数の種類の対応図柄のうちのいずれかを、保留記憶に対応して表示することで、該保留記憶に係る前記数値データに基づく前記当否判定について、表示した前記対応図柄の種類に基づく信頼度を示す手段であって、前記信頼度とは、前記当否判定で当選する可能性の度合いである表示手段と、確認手段による保留記憶に係る数値データの確認結果、又は、保留記憶に基づく当否判定の結果に基づき、表示中の対応図柄に替えて他の種類の対応図柄を表示する変化演出を行うと共に、変化演出が行われることを示唆する前兆演出を行う演出手段と、を備える。演出手段は、前兆演出として、変化演出が行われる通常前兆演出と、変化演出が行われない擬似前兆演出とを行う。そして、前記演出手段は、一定以下の信頼度の前記対応図柄に対応して２回以上の回数であるＸ回の前記擬似前兆演出を行うことで、該対応図柄に対応してＸ−１回の前記擬似前兆演出を行ったときよりも、該対応図柄に対応する前記保留記憶に基づく前記当否判定について、より高い前記信頼度を示す。
【手続補正３】
【補正対象書類名】明細書
【補正対象項目名】０００８
【補正方法】変更
【補正の内容】
【０００８】
なお、演出手段は、さらに、当否判定が行われると、演出図柄の変動表示を行うことで、該当否判定の結果を報知する図柄演出を行っても良い。また、表示手段は、保留記憶に対応して、保留図柄を対応図柄として表示すると共に、保留記憶に基づく当否判定が行われると、変動中図柄を対応図柄として表示しても良い。また、保留記憶の発生後、図柄演出により該保留記憶に基づく当否判定の結果が報知されるまでの期間に、Ｘ回の擬似前兆演出が行われた対応図柄に対応する保留記憶に基づく当否判定の信頼度は、該期間にＸ回の擬似前兆演出の行われていない同じ種類の対応図柄に対応する保留記憶に基づく前記当否判定の前記信頼度よりも高くても良い。
【手続補正４】
【補正対象書類名】明細書
【補正対象項目名】０００９
【補正方法】変更
【補正の内容】
【０００９】
上記構成によれば、保留記憶の発生時から、図柄演出により該保留記憶に基づく当否判定の結果が報知されるまでの期間にわたって、前兆演出により大当りへの期待感を高めることができる。
また、演出手段は、Ｘ回の擬似前兆演出が行われた対応図柄を、別の図柄に変化させても良い。
【手続補正書】
【提出日】令和3年5月17日(2021.5.17)
【手続補正１】
【補正対象書類名】特許請求の範囲
【補正対象項目名】全文
【補正方法】変更
【補正の内容】
【特許請求の範囲】
【請求項１】
遊技を制御する遊技制御手段と、
前記遊技制御手段からのコマンドに基づいて遊技に関する演出を制御する演出制御手段と、
所定の報知を行う報知手段と、を備え、
前記演出制御手段は、前記遊技制御手段からのコマンドに基づいて所定のエラーが発生したか否かを判定し、当該所定のエラーが発生したと判定した場合に前記報知手段によるエラー報知を実行することを特徴とする遊技機。
【手続補正書】
【提出日】令和3年4月20日(2021.4.20)
【手続補正１】
【補正対象書類名】特許請求の範囲
【補正対象項目名】全文
【補正方法】変更
【補正の内容】
【特許請求の範囲】
【請求項１】
筐体と、
圧電体により振動する振動部と、前記振動部に接続されている凸部と、を備える駆動部
と、
第１ねじ部と、前記凸部と接触し前記駆動部の駆動力を受ける被駆動面と、を備え、前
記筐体に対して軸心の回りに回動する回転部材と、
前記第１ねじ部に螺合している第２ねじ部を備える直動部材と、
前記筐体に配置されていて前記直動部材が回転することを規制する規制部と、
を有することを特徴とする回転直動変換装置。
【請求項２】
前記被駆動面は、前記軸心に直交し、
前記軸心に沿って前記振動部と前記凸部とが並んでいる、請求項１に記載の回転直動変
換装置。
【請求項３】
前記被駆動面は、前記軸心の周囲にある円筒面であり、
前記軸心と直交する方向に前記振動部と前記凸部とが並んでいる、請求項１に記載の回
転直動変換装置。
【請求項４】
前記回転部材を支持する基台と、
前記回転部材と前記基台との間に位置する軸受と、を有する請求項１ないし３のいずれ
か１項に記載の回転直動変換装置。
【請求項５】
前記軸受は、スラスト軸受であり、
前記スラスト軸受のスラスト方向が前記軸心に沿っている請求項４に記載の回転直動変
換装置。
【請求項６】
前記回転部材の前記軸心に沿う方向への変位を規制する規制部を有する請求項１ないし
５のいずれか１項に記載の回転直動変換装置。
【手続補正書】
【提出日】令和3年4月16日(2021.4.16)
【手続補正１】
【補正対象書類名】明細書
【補正対象項目名】００３４
【補正方法】変更
【補正の内容】
【００３４】
また、図示のモータ１では、一体回転部１２は、ロータ７の支軸９の長手方向Ｚにおける一端Ａ側において支軸９に対して一例としてクリアランスを有する状態で摺動可能に設けられている第１軸受部１１の下方に位置している。  
また、ロータ７の支軸９の長手方向Ｚにおける他端Ｂ側には、支軸９に対して弾性的に押し付けられた状態で摺動可能に接触する一例として弾性軸受部１５を備えた第２軸受部１３が設けられている。
【手続補正２】
【補正対象書類名】明細書
【補正対象項目名】００４４
【補正方法】変更
【補正の内容】
【００４４】
また、本実施形態では係合凹部６と凸部２３は、それぞれ複数形成されている。複数の係合凹部６の内の一つの係合凹部６ａが他の係合凹部６ｂ、６ｃと形状を異にし、複数の凸部２３の内の一つの凸部２３ａが他の凸部２３ｂ、２３ｃと形状を異にし、一体回転部１２とロータ本体５は、前記一つの係合凹部６ａと一つの凸部２３ａが互いに嵌り合う相対配置で組付けることが可能に構成されている。  
具体的には、図８Ａに表すように３つの係合凹部６ａ、６ｂ、６ｃと、３つの凸部２３ａ、２３ｂ、２３ｃと、が周方向Ｒに等間隔で設けられており、このうち一組の係合凹部６ａと凸部２３ａの周方向Ｒの長さを表す角度θ１が１００°、残りの二組の係合凹部６ｂと凸部２３ｂ及び係合凹部６ｃと凸部２３ｃの周方向Ｒの長さを表す角度θ２、θ３がそれぞれ８５°に設定されている。  
このような係合凹部６と凸部２３を採用することによって一体回転部１２とロータ本体５の周方向Ｒにおける相対配置が一義的に定まる。
【手続補正３】
【補正対象書類名】明細書
【補正対象項目名】００４５
【補正方法】変更
【補正の内容】
【００４５】
また、図８Ｂの変形例に表すように、係合凹部６と凸部２３をそれぞれ３つずつ形成し、これらの形状をすべて同じにするが、３組の係合凹部６と凸部２３の内の一組の周方向Ｒにおける間隔９１ａを他の間隔９１ｂ、９１ｃと長さを異にすることで、一体回転部１２とロータ本体５の周方向Ｒの相対配置を一義的に定めることも可能である。  
因みに、図８Ｂでは、前記一組の間隔９１ａの周方向Ｒの長さを表す角度がα１、残りの二組の間隔９１ｂ、９１ｃの周方向Ｒの長さを表す角度がα２、α３であり、それぞれの関係はα１≠α２＝α３になっている。
【手続補正４】
【補正対象書類名】明細書
【補正対象項目名】００６６
【補正方法】変更
【補正の内容】
【００６６】
このようにして構成される本実施形態に係るバルブ駆動装置３１によれば、マグネット３の着磁時、マグネット３とロータ本体５との一体成形時及びロータ本体５と一体回転部１２の組付け時における誤差の少ないモータ１を有するバルブ駆動装置３１が提供できるようになる。  
また、モータ１の前記バラツキの少ない製造と組み立てによって、弁体３８の円滑で騒音（ノイズ）の小さな弁動作が実行されるようになる。
【手続補正書】
【提出日】令和2年11月27日(2020.11.27)
【手続補正１】
【補正対象書類名】特許請求の範囲
【補正対象項目名】全文
【補正方法】変更
【補正の内容】
【特許請求の範囲】
【請求項１】
送配電事業者による発電設備運用計画を策定する発電計画策定装置であって、
系統安定化のために予備的に必要とされる調整力必要量を算出する調整力必要量算出部と、
前記調整力必要量が確保されるように、揚水発電設備を含む発電設備に係る前記発電設備運用計画を策定する発電設備運用計画策定部と、
前記発電設備運用計画における前記揚水発電設備の運用計画の経済性を評価する揚水発電評価部と、
前記揚水発電評価部による評価結果に基づいて、前記発電設備運用計画の成否を判定する運用計画判定部と、
前記運用計画判定部によって否定された前記発電設備運用計画について前記揚水発電設備の運用計画を修正するための揚水発電設備運用計画修正部とを備える、発電計画策定装置。
【請求項２】
前記揚水発電評価部及び前記運用計画判定部は、前記揚水発電設備運用計画修正部によって前記揚水発電設備の運用計画が修正される毎に、修正された前記運用計画の経済性の評価及び前記修正された運用計画が反映された前記発電設備運用計画の成否を判定し、
前記運用計画判定部によって前記発電設備運用計画が肯定されるまで、前記揚水発電設備運用計画修正部は、前記揚水発電設備の運用計画を繰り返し修正する、請求項１記載の発電計画策定装置。
【請求項３】
前記発電設備運用計画策定部は、発電事業者によって策定された発電設備運用計画に対して、需給バランス及び前記調整力必要量を確保するための修正を加えることによって、前記発電設備運用計画を策定する、請求項１又は２に記載の発電計画策定装置。
【請求項４】
前記揚水発電設備の運用計画は、揚水発電に備えて水を汲み上げる揚水運転期間と、前記需給バランスを目的として揚水発電機を運転する第１の揚発運転期間と、前記調整力必要量を確保する目的で前記揚水発電機を運転する第２の揚発運転期間との時刻スケジュールを含み、
前記揚水発電評価部は、前記揚水運転期間における前記水を汲み上げる際の電力単価と、前記第１及び第２の揚発運転期間の各々における、前記揚水発電設備を用いないときの発電単価との比較に基づいて、前記揚水発電設備の運用計画の経済性を評価する、請求項３記載の発電計画策定装置。
【請求項５】
前記発電設備は、火力発電設備をさらに含み、
前記第１の揚発運転期間における前記発電単価は、前記揚水発電設備を使用せずに前記火力発電設備で発電した場合の運転費用を、前記揚水発電設備での計画発電電力量で除算することによって算出され、
前記第２の揚発運転期間における前記発電単価は、前記調整力必要量を確保するための前記火力発電設備の出力を変化させる運転での前記発電単価に従って算出される、請求項４記載の発電計画策定装置。
【手続補正書】
【提出日】令和3年5月24日(2021.5.24)
【手続補正１】
【補正対象書類名】明細書
【補正対象項目名】０００２
【補正方法】変更
【補正の内容】
【０００２】
従来、用いられていたこの種の輪状ステータ鉄心２０をアルミケース９に挿入固定する方法としては、例えば特許文献１に示されているものが挙げられる。一般的に、この種のＡＣサーボモータは、図１６に示すように構成されている。図１６において、円筒状のアルミケース９内には、輪状ステータ鉄心２０が収納されている。この輪状ステータ鉄心２０は、アルミケース９の内周面９ａに外周２１ａが接触して設けられた輪状基部２１と、周方向に互いに間隔をおいて前記輪状基部２１から内方に突出する複数の磁極２２とを有しており、各磁極２２にはステータコイル２３が巻き付けられている。前記ケーシング１０はケース本体１１と前蓋１２とから構成されており、これらケース本体１１及び前蓋１２には軸孔１３が設けられている。軸孔１３には回転軸３０が挿通されており、該回転軸３０は一対のべアリング１４を介して前記アルミケース９に回転自在に支持されている。前記輪状ステータ鉄心２０の内側には磁性体からなるロータ４０が配置されており、このロータ４０は前記回転軸３０と一体に回転する。なお、前記アルミケース９は、非磁性体であるアルミニウムを使用して製造されている。また、図示はしないが、樹脂剤により輪状ステータ鉄心２０を封止して、前記アルミケース９と同様の機能を確保する場合もある。
【手続補正２】
【補正対象書類名】明細書
【補正対象項目名】００１３
【補正方法】変更
【補正の内容】
【００１３】
次に、本発明による二重構造のモータケースの製造方法及び二重構造のモータケースの要旨とするところは、以下の通りである。
すなわち、金属の深絞りにより形成された金属深絞りケース４０を形成し、前記金属深絞りケース４０をアルミダイキャストケース１０に鋳込むことにより、前記アルミダイキャストケースと前記金属深絞りケース４０によって二重構造のモータケース１００を作る方法と構成であり、また、前記金属深絞りケース４０は、前記アルミダイキャストケース１０の内側に位置している方法と構成であり、また、前記金属深絞りケース４０の口金５０は、前記アルミダイキャストケース１０の前蓋部１２に設けされている方法と構成であり、また、前記金属深絞りケース４０の前部４１に形成された複数の孔４２内には、アルミダイキャスト時のアルミニウムが埋設されている方法と構成である。
【手続補正３】
【補正対象書類名】特許請求の範囲
【補正対象項目名】全文
【補正方法】変更
【補正の内容】
【特許請求の範囲】
【請求項１】
金属の深絞りにより形成された金属深絞りケース（４０）を形成し、前記金属深絞りケース（４０）をアルミダイキャストケース（１０）に鋳込むことにより、前記アルミダイキャストケース（１０）と前記金属深絞りケース（４０）によって二重構造のモータケース（１００）を作ることを特徴とする二重構造のモータケースの製造方法。
【請求項２】
前記金属深絞りケース（４０）は、前記アルミダイキャストケース（１０）の内側に位置していることを特徴とする請求項１記載の二重構造のモータケースの製造方法。
【請求項３】
前記金属深絞りケース（４０）の口金（５０）は、前記アルミダイキャストケース（１０）の前蓋部（１２）に設けられていることを特徴とする請求項１記載の二重構造のモータケースの製造方法。
【請求項４】
前記金属深絞りケース（４０）の前部（４１）に形成された複数の孔（４２）内には、アルミダイキャスト時のアルミニウム（４４）が埋設されていることを特徴とする請求項１ないし３の何れかに記載の二重構造のモータケースの製造方法。
【請求項５】
金属深絞りにより形成された金属深絞りケース（４０）を有し、前記金属深絞りケース（４０）がアルミダイキャストケース（１０）に鋳込まれていることにより、前記アルミダイキャストケース（１０）と前記金属深絞りケース（４０）により、二重構造のモータケース（１００）が構成されていることを特徴とする二重構造のモータケース。
【請求項６】
前記金属深絞りケース（４０）は、前記アルミダイキャストケース（１０）の内側に位置していることを特徴とする請求項５記載の二重構造のモータケース。
【請求項７】
前記金属深絞りケース（４０）の口金（５０）は、前記アルミダイキャストケース（１０）の前蓋部（１２）に設けられていることを特徴とする請求項５記載の二重構造のモータケース。
【請求項８】
前記金属深絞りケース（４０）の前部（４１）に形成された複数の孔（４２）内には、アルミダイキャスト時のアルミニウム（４４）が埋設されていることを特徴とする請求項５ないし７の何れかに記載の二重構造のモータケース。
【手続補正書】
【提出日】令和3年5月12日(2021.5.12)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段の判定結果に基づいて特典を付与しうる特典付与手段と、
遊技者による操作対象である操作手段を摸した摸画像表示を表示可能な摸画像表示手段と、
前記操作手段に対する操作の受付けが許容される特定の受付期間を発生可能であり、該特定の受付期間内において遊技者による操作が受付けされると、該受付けがなされたことに基づいて受付後変化を実行可能な受付後変化実行手段と、
前記特定の受付期間が発生するのに先立って、特定の前兆演出を実行可能な前兆演出実行手段と
を備え、
前記特定の前兆演出が実行される場合、前記摸画像表示は、前記特定の受付期間が発生するよりも前の前兆期間内と、前記特定の受付期間内との両方で表示されるようになっており、
前記特定の受付期間が発生するよりも前の前記前兆期間内において表示される摸画像表示は、前記特定の受付期間内において第１態様で表示される摸画像表示とは異なる第２態様で表示可能とされ、
前記特定の受付期間が発生するよりも前の前記前兆期間内では、前記第２態様の摸画像表示を視認し難くする特定の演出表示を表示可能であり、該特定の演出表示は、これよりも後に前記第１態様で現れる前記摸画像表示も視認し難くするように機能しうるものであり、
前記特定の受付期間内において前記特定の演出表示が表示されているなかで遊技者による操作が受付けされた場合、該受付けに応じた受付後変化が実行開始される時点において前記特定の演出表示は非表示の状態にされておらず表示されており、
前記特定の受付期間内において前記受付けがなされた場合、該受付けに応じた受付後変化の１つとして、前記摸画像表示を視認し難くする特別の表示態様が表示され、
前記特定の演出表示及び前記特別の表示態様は互いに異なる表示であり、
さらに、
前記操作手段に対する操作の受付けが許容される受付期間として、前記特定の受付期間とは異なる所定の受付期間が発生可能とされており、
前記所定の受付期間が発生する場合、該所定の受付期間の発生タイミングを跨るかたちで所定の前演出表示が表示され、該所定の受付期間内において前記所定の前演出表示が表示されているなかで前記受付けがなされた場合、該受付けに応じた受付後変化が実行開始される時点において、前記所定の前演出表示は非表示の状態にされておらず表示されている
ことを特徴とする遊技機。
【手続補正２】
【補正対象書類名】明細書
【補正対象項目名】０００７
【補正方法】変更
【補正の内容】
【０００７】
手段１：判定を行う判定手段と、
前記判定手段の判定結果に基づいて特典を付与しうる特典付与手段と、
遊技者による操作対象である操作手段を摸した摸画像表示を表示可能な摸画像表示手段と、
前記操作手段に対する操作の受付けが許容される特定の受付期間を発生可能であり、該特定の受付期間内において遊技者による操作が受付けされると、該受付けがなされたことに基づいて受付後変化を実行可能な受付後変化実行手段と、
前記特定の受付期間が発生するのに先立って、特定の前兆演出を実行可能な前兆演出実行手段と
を備え、
前記特定の前兆演出が実行される場合、前記摸画像表示は、前記特定の受付期間が発生するよりも前の前兆期間内と、前記特定の受付期間内との両方で表示されるようになっており、
前記特定の受付期間が発生するよりも前の前記前兆期間内において表示される摸画像表示は、前記特定の受付期間内において第１態様で表示される摸画像表示とは異なる第２態様で表示可能とされ、
前記特定の受付期間が発生するよりも前の前記前兆期間内では、前記第２態様の摸画像表示を視認し難くする特定の演出表示を表示可能であり、該特定の演出表示は、これよりも後に前記第１態様で現れる前記摸画像表示も視認し難くするように機能しうるものであり、
前記特定の受付期間内において前記特定の演出表示が表示されているなかで遊技者による操作が受付けされた場合、該受付けに応じた受付後変化が実行開始される時点において前記特定の演出表示は非表示の状態にされておらず表示されており、
前記特定の受付期間内において前記受付けがなされた場合、該受付けに応じた受付後変化の１つとして、前記摸画像表示を視認し難くする特別の表示態様が表示され、
前記特定の演出表示及び前記特別の表示態様は互いに異なる表示であり、
さらに、
前記操作手段に対する操作の受付けが許容される受付期間として、前記特定の受付期間とは異なる所定の受付期間が発生可能とされており、
前記所定の受付期間が発生する場合、該所定の受付期間の発生タイミングを跨るかたちで所定の前演出表示が表示され、該所定の受付期間内において前記所定の前演出表示が表示されているなかで前記受付けがなされた場合、該受付けに応じた受付後変化が実行開始される時点において、前記所定の前演出表示は非表示の状態にされておらず表示されている
ことを特徴とする遊技機。
【手続補正書】
【提出日】令和3年8月6日(2021.8.6)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
所定部材を備え、
前記所定部材は、第１部品及び該第１部品と異なる第２部品を含む複数の部品にて構成され、
前記所定部材が使用可能となるときに該所定部材に関連する所定部材画像を表示可能であり、
前記所定部材画像を表示する前において、前記第１部品に関連する第１部品画像と前記第２部品に関連する第２部品画像とを表示可能であり、
前記第２部品画像を前記第１部品画像よりも後に表示し、
前記第１部品画像と前記第２部品画像とが表示されて前記所定部材画像が表示される第１演出パターンと、前記第１部品画像と前記第２部品画像とが表示されて前記所定部材画像が表示されない第２演出パターンと、を含み、
前記第１演出パターンと前記第２演出パターンとで、前記有利状態に制御される期待度が異なる
ことを特徴とする遊技機。
【手続補正２】
【補正対象書類名】明細書
【補正対象項目名】０００７
【補正方法】変更
【補正の内容】
【０００７】
手段Ａの遊技機は、
可変表示を行い、遊技者にとって有利な有利状態に制御可能な遊技機であって、
所定部材を備え、
前記所定部材は、第１部品及び該第１部品と異なる第２部品を含む複数の部品にて構成され、
前記所定部材が使用可能となるときに該所定部材に関連する所定部材画像を表示可能であり、
前記所定部材画像を表示する前において、前記第１部品に関連する第１部品画像と前記第２部品に関連する第２部品画像とを表示可能であり、
前記第２部品画像を前記第１部品画像よりも後に表示し、
前記第１部品画像と前記第２部品画像とが表示されて前記所定部材画像が表示される第１演出パターンと、前記第１部品画像と前記第２部品画像とが表示されて前記所定部材画像が表示されない第２演出パターンと、を含み、
前記第１演出パターンと前記第２演出パターンとで、前記有利状態に制御される期待度が異なる
ことを特徴としている。
手段１の遊技機は、
遊技が可能な遊技機（例えば、パチンコ遊技機１）であって、
所定部材（例えば、スティックコントローラ３１Ａ／プッシュボタン３１Ｂ／可動体３２など）を備え、
前記所定部材は、第１部品（例えば、部品Ａ１）及び該第１部品よりも特徴的な第２部品（例えば、部品Ａ５）を含む複数の部品にて構成され、
前記所定部材が使用可能となるときに該所定部材に関連する所定部材画像を表示可能であり（例えば、演出制御用ＣＰＵ１２０が、操作促進演出において、図８−１３（Ｕ）や図８−１３（Ｖ）に示すように操作有効期間が開始されるときにコントローラ画像Ｚ１またはプッシュボタン画像Ｚ３を表示することで操作促進報知を行う部分。）、
前記所定部材画像を表示する前において、前記第１部品に関連する第１部品画像と前記第２部品に関連する第２部品画像とを表示可能であり、
前記第２部品画像を前記第１部品画像よりも後に表示する（例えば、演出制御用ＣＰＵ１２０が、演出パターンＢにおいて、部品画像ＺＡ１〜ＺＡ５を順に組付ける態様にて表示するとともに、図８−１２（Ｑ）（Ｒ）（Ｓ）に示すように、部品Ａ１〜Ａ４よりも特徴的な部品Ａ５に対応する部品画像ＺＡ５を、部品画像ＺＡ１〜ＺＡ４よりも後に組付ける態様にて表示する部分。）
ことを特徴としている。
この特徴によれば、所定部材に好適に注目させることができるため、興趣が向上する。
【手続補正書】
【提出日】令和3年8月6日(2021.8.6)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
所定部材を備え、
前記所定部材は、第１部品、第２部品及び第３部品を含む複数の部品にて構成され、
前記所定部材が使用可能となるときに該所定部材に関連する所定部材画像を表示可能であり、
前記所定部材画像を表示する前において、前記第１部品に関連する第１部品画像と前記第２部品に関連する第２部品画像とを表示するが、前記第３部品に関連する第３部品画像は表示せず、
前記第１部品画像と前記第２部品画像とが表示されて前記所定部材画像が表示される第１演出パターンと、前記第１部品画像と前記第２部品画像とが表示されて前記所定部材画像が表示されない第２演出パターンと、を含み、
前記第１演出パターンと前記第２演出パターンとで、前記有利状態に制御される期待度が異なる
ことを特徴とする遊技機。
【手続補正２】
【補正対象書類名】明細書
【補正対象項目名】０００７
【補正方法】変更
【補正の内容】
【０００７】
手段Ａの遊技機は、
可変表示を行い、遊技者にとって有利な有利状態に制御可能な遊技機であって、
所定部材を備え、
前記所定部材は、第１部品、第２部品及び第３部品を含む複数の部品にて構成され、
前記所定部材が使用可能となるときに該所定部材に関連する所定部材画像を表示可能であり、
前記所定部材画像を表示する前において、前記第１部品に関連する第１部品画像と前記第２部品に関連する第２部品画像とを表示するが、前記第３部品に関連する第３部品画像は表示せず、
前記第１部品画像と前記第２部品画像とが表示されて前記所定部材画像が表示される第１演出パターンと、前記第１部品画像と前記第２部品画像とが表示されて前記所定部材画像が表示されない第２演出パターンと、を含み、
前記第１演出パターンと前記第２演出パターンとで、前記有利状態に制御される期待度が異なる
ことを特徴としている。
手段１の遊技機は、
遊技が可能な遊技機（例えば、パチンコ遊技機１）であって、
所定部材（例えば、スティックコントローラ３１Ａ／プッシュボタン３１Ｂ／可動体３２など）を備え、
前記所定部材は、第１部品（例えば、部品Ａ１）、第２部品（例えば、部品Ａ５）及び第３部品（例えば、部品Ａ２）を含む複数の部品（例えば、部品Ａ１〜Ａ５など）にて構成され、
前記所定部材が使用可能となるときに該所定部材に関連する所定部材画像を表示可能であり（例えば、演出制御用ＣＰＵ１２０が、操作促進演出において、図８−１３（Ｕ）や図８−１３（Ｖ）に示すように操作有効期間が開始されるときにコントローラ画像Ｚ１またはプッシュボタン画像Ｚ３を表示することで操作促進報知を行う部分。）、
前記所定部材画像を表示する前において、前記第１部品に関連する第１部品画像と前記第２部品に関連する第２部品画像とを表示するが、前記第３部品に関連する第３部品画像は表示しない（例えば、演出制御用ＣＰＵ１２０が、コントローラ組立演出において、部品Ａ２（背面ベース６０４）に対応する部品画像ＺＡ２について、実際の背面ベース６０４が有する配線ＣやコネクタＣＮ、コントローラセンサユニット３５Ａやプッシュセンサ３５Ｂ等の電子部品に対応する部品画像の表示を省略している（表示しない）部分。）
ことを特徴としている。
この特徴によれば、所定部材に好適に注目させることができるため、興趣が向上する。